(57)【要約】【課題】先口５および筆記端１３ｂが金属製であっても、簡単な構造で、筆記端１３ｂが先口５の開口５ａから繰り出される際の不快な音が発生することを防止できる構造の繰出式筆記具を得ることを目的とした。【解決手段】保持用段部５ｂの後端５ｃの角部５ｄを丸めて丸め部５ｅとし、筆記体１３の筆記端１３ｂが先口５の開口５ａから繰り出される際に、筆記端１３ｂの側面１３ｃが保持用段部５ｂの丸め部５ｅに摺接する構造とする。【選択図】図４
2016055495.tif 000002
【特許請求の範囲】
【請求項１】
軸筒の前端部に設けた金属製の先口の開口より該軸筒の内部に収容した筆記体の前方に設けた金属製の筆記端を出没可能とし、前記先口の開口より前記筆記端を突出させた状態において該筆記端の側面を該先口の内部に突設した保持用段部にて保持させる構造の繰出式筆記具であって、前記保持用段部の後端の角部を丸めて丸め部とし、前記筆記体の筆記端が前記先口の開口から繰り出される際に、前記筆記端の側面が前記保持用段部の丸め部に摺接することを特徴とした繰出式筆記具。
【請求項２】
前記筆記体がボールペン体であり、前記筆記端が切削により側面にひき目が形成された金属製のボールペンチップであることを特徴とした請求項１に記載の繰出式筆記具。
【発明の詳細な説明】
【技術分野】
【０００１】
本発明は繰出式筆記具に関し、さらに詳細には、筆記体の前方に設けた金属製の筆記端が、金属製の先口の内部に形成した保持用段部に摺接しながら該先口の開口から繰り出される構造の繰出式筆記具に関する。
【背景技術】
【０００２】
従来より、インキ収容管の前方にボールペンチップを有したボールペン体や、芯収容管の前方に芯繰出ユニットを有したシャープペンシル体などの筆記体を軸筒の内部に収容し、軸筒に設けた操作部を操作することにより、軸筒の前端部に設けた先口の開口より筆記端を出没させる構造の繰出式筆記具はよく知られている。
この繰出式筆記具においては、軸筒の軸心に対して筆記体の筆記端がずれて繰り出される場合があり、金属製の筆記端が金属製の先口の保持用段部に摺接した際に発する音が問題として取り上げられている。また筆記端が旋盤等の加工機により切削加工されていた場合には、側面に形成された複数の円周状の切削痕であるひき目が保持用段部の後端の角部に連続して接触することとなり、その際に発生される不快音が問題視されている。さらに筆記体がボールペン体であった場合には、ボールペンチップの先端傾斜面に荒いひき目が形成されることが多く、また先端傾斜面が軸心に対して傾斜していることから、先口に設けた保持用段部の後端の角部との接触抵抗が大きくなり、特に大きな摺接音が生じやすかった。
【０００３】
前述の問題を解決する方法として特許文献１では、金属製の先口の内周面を樹脂被覆体で被覆することにより、不快音の発生を防止する構造が開示されている。
この特許文献１の構造では、先口および筆記端が金属であっても、筆記端は先口の内周面に設けた樹脂被覆体に接するため、金属同士の接触による不快な音の発生を防止することができるが、その反面、材料費の高い金属製の先口に対して更に樹脂被覆体の被覆という加工を施すことで、大きなコストアップにつながりやすくなっていた。
【特許文献１】特開２００８−１２６５９５号公報
【発明の開示】
【発明が解決しようとする課題】
【０００４】
本発明では、先口および筆記端が金属製であっても、簡単な構造で、筆記端が先口の開口から繰り出される際の不快な音が発生することを防止できる構造の繰出式筆記具を得ることを目的とした。
【課題を解決するための手段】
【０００５】
本発明は、
「１．軸筒の前端部に設けた金属製の先口の開口より該軸筒の内部に収容した筆記体の前方に設けた金属製の筆記端を出没可能とし、前記先口の開口より前記筆記端を突出させた状態において該筆記端の側面を該先口の内部に突設した保持用段部にて保持させる構造の繰出式筆記具であって、前記保持用段部の後端の角部を丸めて丸め部とし、前記筆記体の筆記端が前記先口の開口から繰り出される際に、前記筆記端の側面が前記保持用段部の丸め部に摺接することを特徴とした繰出式筆記具。
２．前記筆記体がボールペン体であり、前記筆記端が切削により側面にひき目が形成された金属製のボールペンチップであることを特徴とした前記１項に記載の繰出式筆記具。」である。
【発明の効果】
【０００６】
本発明により、先口および筆記端が金属製であっても、簡単な構造で、筆記端が先口の開口から繰り出される際に、不快な音が発生することを防止できる構造の繰出式筆記具を得ることができた。
【図面の簡単な説明】
【０００７】
【図１】図１は、本実施例の繰出式ボールペンの側面図である。
【図２】図２は、図１の状態の縦断面図である。
【図３】図３は、ボールペンチップを突出させた状態の縦断面図である。
【図４】図４は、ボールペンチップが繰り出されている状態を示す要部断面図である。
【発明を実施するための最良の形態】
【０００８】
次に図面を参照しながら、本実施例の繰出式筆記具について説明を行う。本実施例では、インキ収容管の前方にボールペンチップを有したボールペン体を軸筒の内部に一本収容した繰出式ボールペンについての説明を行うが、本発明は以下の実施例に限定されるものではない。また、図中の同じ部材、同じ部品については、同じ符号としてある。図中において先口がある側を前方とし反対側を後方として表現する。
【実施例】
【０００９】
図１は本実施例の繰出式ボールペンの側面図である。繰出式ボールペン１は、前軸部材２と後軸部材３とを連接して軸筒４を構成し、前軸部材２の前端部に金属製の先口５を装着し、後軸部材３の後端部に尾冠６を装着し、後軸部材３と尾冠６との間にクリップ７の基部を挟持してある。尚、前軸部材２と後軸部材３は隙間８を隔てて連接してある。
【００１０】
次に図２を用いて繰出式ボールペン１の内部構造について説明を行う。図２は図１の状態の縦断面図である。図に示すように、先口５は前軸部材２の前端部に螺着してあり、尾冠６は開口部６ａを後軸部材３の後端開口部３ａに圧入した継手９の凸部９ａへ嵌着してある。また、継手９の前方開口部９ｂには、前軸部材２の後端部に螺着した内筒１０の後端開口部１０ａに遊嵌する繰出カム１１を嵌着して、後軸部材３と継手９と尾冠６とクリップ７とが一体に回転するようにした。また、繰出カム１１の前方部には摺動体１２を配設し、繰出カム１１に形成したカム斜面１１ａを摺動体１２に形成したカム壁１２ａに当接させることにより、摺動体１２をカム動作で前後動できるようにした。また、摺動体１２のカム壁１２ａは、内筒１０に穿孔したスリット１０ｂに挿通して摺動体１２の回転運動を抑制し、前後動が行えるようにしてある。
【００１１】
図３はボールペンチップを突出させた状態の縦断面図である。図に示すように繰出式ボールペン１は、後軸部材３を前軸部材２に対して回転させることにより、繰出カム１１のカム斜面１１ａで摺動体１２のカム壁１２ａを前進させ、軸筒４内に収容したボールペン体１３を、軸筒４の前方に配したコイルバネ１４の弾発力に抗して前進させ、ボールペン体１３のインキ収容管１３ａの前方にあるボールペンチップ１３ｂを先口５の開口５ａから突出させている。この状態でボールペンチップ１３ｂの側面１３ｃは、先口５の内部に突設した保持用段部５ｂに保持され、筆記時において、ボールペンチップ１３ｂが振れることを防止することができる。
【００１２】
次に、図４を用いて、ボールペン体１３のボールペンチップ１３ｂが先口５の開口５ａから繰り出される状態についての説明を行う。金属製のボールペンチップ１３ｂは旋盤により切削加工されており、図で模式的に示したように、先端傾斜面１３ｄには複数の円周状のひき目１３ｅが形成されているが、本実施例の先口５の保持用段部５ｂは、後端５ｃの角部５ｄを丸めて丸め部５ｅを形成してあり、その丸め部５ｅは先口５の内周面５ｆに沿って円周状に形成してあることから、軸筒４の軸心に対してボールペン体１３のボールペンチップ１３ｂが、どの方向にずれて繰り出された場合においても、ボールペンチップ１３ｂのひき目１３ｅが保持用段部５ｂの丸め部５ｅに対して滑らかに摺接することとなり、不快な音が発生することはなかった。
【符号の説明】
【００１３】
１…繰出式ボールペン、２…前軸部材、３…後軸部材、３ａ…後端開口部、
４…軸筒、
５…先口、
５ａ…開口、５ｂ…保持用段部、５ｃ…後端、５ｄ…角部、
５ｅ…丸め部、５ｆ…内周面、
６…尾冠、６ａ…開口部、
７…クリップ、
８…隙間、
９…継手、９ａ…凸部、９ｂ…前方開口部、
１０…内筒、１０ａ…後端開口部、１０ｂ…スリット、
１１…繰出カム、１１ａ…カム斜面、
１２…摺動体、１２ａ…カム壁、
１３…ボールペン体、
１３ａ…インキ収容管、１３ｂ…ボールペンチップ、
１３ｃ…側面、１３ｄ…先端傾斜面、１３ｅ…ひき目、
１４…コイルバネ。
【図１】
2016055495.tif 000003
【図２】
2016055495.tif 000004
【図３】
2016055495.tif 000005
【図４】
2016055495.tif 000006